(57)【要約】【課題】  各種の構造体との一体化を可能にし、これによって得られる電子部品の小型化を可能にしたウエハレベルＣＳＰによる半導体装置と、その製造方法、さらにこの半導体装置を有した電子部品と、回路基板及び電子機器とを提供する。【解決手段】  半導体基板１０と、半導体基板１０の能動面１０ａ側に設けられた第１の電極１１と、第１の電極１１に電気的に接続して能動面１０ａ側に設けられた外部接続端子１２と、半導体基板１０の能動面１０ａ側に設けられた接続用端子１３と、を備えた半導体装置１である。【選択図】      図１
2007048931.tif 000002
【特許請求の範囲】
【請求項１】
半導体基板と、
前記半導体基板の能動面側に設けられた第１の電極と、
前記第１の電極に電気的に接続して前記能動面側に設けられた外部接続端子と、
前記半導体基板の能動面側に設けられた接続用端子と、を備えたことを特徴とする半導体装置。
【請求項２】
前記第１の電極と前記外部接続端子との電気的接続が、前記能動面側に設けられた再配置配線によってなされていることを特徴とする請求項１記載の半導体装置。
【請求項３】
前記接続用端子が、前記半導体基板の能動面側に設けられた第２の電極に電気的に接続していることを特徴とする請求項１又は２に記載の半導体装置。
【請求項４】
前記接続用端子が、電気的な検査や調整を行うための端子であることを特徴とする請求項３記載の半導体装置。
【請求項５】
前記接続用端子が、他の部品との間の電気的接続をなすための端子であることを特徴とする請求項３記載の半導体装置。
【請求項６】
前記外部接続端子が前記第１の電極に配線を介して接続され、
前記半導体基板と前記外部接続端子との間に、応力緩和層が設けられていることを特徴とする請求項１〜５のいずれか一項に記載の半導体装置。
【請求項７】
前記接続用端子が、封止樹脂によって封止されてなることを特徴とする請求項１〜６のいずれか一項に記載の半導体装置。
【請求項８】
前記接続用端子が、柱状に形成されていることを特徴とする請求項１〜７のいずれか一項に記載の半導体装置。
【請求項９】
半導体基板の能動面側に第１の電極を設ける工程と、
前記第１の電極に電気的に接続する外部接続端子を前記半導体基板の能動面側に設ける工程と、
前記半導体基板の能動面側に接続用端子を設ける工程と、を備えたことを特徴とする半導体装置の製造方法。
【請求項１０】
半導体基板の能動面側に第２の電極を設ける工程を備え、
前記接続用端子を、前記第２の電極に電気的に接続した状態に設けることを特徴とする請求項９記載の半導体装置の製造方法。
【請求項１１】
前記半導体装置を同一の基板に複数形成した後、該基板を前記半導体装置毎に切断して個片化することを特徴とする請求項９又は１０記載の半導体装置の製造方法。
【請求項１２】
前記接続用端子を設けた後、該接続用端子を用いて検査や調整、あるいは接続を行い、その後、該接続用端子を封止樹脂によって封止することを特徴とする請求項９〜１１のいずれか一項に記載の半導体装置の製造方法。
【請求項１３】
半導体基板と、前記半導体基板の能動面側に設けられた第１の電極と、前記第１の電極に電気的に接続して前記能動面側に設けられた外部接続端子と、前記半導体基板の能動面側に設けられた接続用端子とを備えた半導体装置と、
前記半導体装置における前記半導体基板の能動面側と反対の側に配設され、前記接続用端子と電気的接続手段によって接続された機能構造体と、を具備してなることを特徴とする電子部品。
【請求項１４】
前記電気的接続手段はワイヤボンディングであることを特徴とする請求項１３記載の電子部品。
【請求項１５】
前記外部接続端子が、前記ワイヤボンディングのワイヤより高く形成されていることを特徴とする請求項１４記載の電子部品。
【請求項１６】
前記電気的接続手段が、封止樹脂によって封止されてなることを特徴とする請求項１３〜１５のいずれか一項に記載の電子部品。
【請求項１７】
請求項１３〜１６のいずれか一項に記載の電子部品が実装されていることを特徴とする回路基板。
【請求項１８】
請求項１３〜１６のいずれか一項に記載の電子部品が実装されていることを特徴とする電子機器。
【発明の詳細な説明】
【技術分野】
【０００１】
本発明は、半導体装置、半導体装置の製造方法、電子部品、回路基板及び電子機器に関する。
【背景技術】
【０００２】
半導体装置をより高密度に実装するためには、ベアチップ実装が理想的である。しかし、ベアチップは品質の保証及び取り扱いが難しいといった問題がある。
そこで、従来よりＣＳＰ（Chip Scale / Size Package）が適用された半導体装置が開発されている。また、特に近年では、ウエハレベルでＣＳＰを形成する、いわゆるウエハレベルＣＳＰ（Ｗ−ＣＳＰ）が注目されている（例えば、特許文献１、特許文献２参照）。ウエハレベルＣＳＰでは、再配線が施された複数の半導体素子（集積回路）をウエハ単位で形成し、その後、各半導体素子（集積回路）毎に切断し個片化して、半導体装置を得るようにしている。
【特許文献１】再表０１／０７１８０５号公報
【特許文献２】特開２００４−１６５４１５号公報
【発明の開示】
【発明が解決しようとする課題】
【０００３】
ところで、半導体装置は、例えば水晶発振器やＭＥＭＳ（Micro Electro Mechanical Systems）構造体、各種電子部品構造体などを駆動するための、駆動装置として多く用いられている。このような構造体と駆動装置（半導体装置）とは、例えば携帯電話などの携帯製品に多く用いられることから、その小型化が強く要望されている。
そこで、このような構造体とこれを駆動する半導体装置とを一体化して電子部品とし、構造体と半導体装置との集合体（電子部品）を小型化することが考えられる。特に、半導体装置については、前記のウエハレベルＣＳＰによる半導体装置を用いれば、より一層の小型化が可能になる。
【０００４】
しかしながら、前述したウエハレベルＣＳＰによる半導体装置は、これを実装する回路基板などへの接続しか想定されておらず、接続用端子としての外部接続端子は回路基板などへの実装にのみ利用される構成となっている。したがって、この半導体装置と前記構造体とを一体化して電子部品を形成することは、その構成上極めて困難なのが現状である。
【０００５】
本発明は前記事情に鑑みてなされたもので、その目的とするところは、特に各種の構造体との一体化を可能にし、これによって得られる電子部品の小型化を可能にしたウエハレベルＣＳＰによる半導体装置と、その製造方法、さらにこの半導体装置を有した電子部品と、回路基板及び電子機器とを提供することにある。
【課題を解決するための手段】
【０００６】
本発明の半導体装置は、半導体基板と、前記半導体基板の能動面側に設けられた第１の電極と、前記第１の電極に電気的に接続して前記能動面側に設けられた外部接続端子と、前記半導体基板の能動面側に設けられた接続用端子と、を備えたことを特徴としている。
この半導体装置によれば、外部接続端子とは別に接続用端子が設けられているので、この接続用端子を用いて例えば他の機能構造体との機械的接続や電気的接続を行うことにより、この半導体装置と機能構造体とを一体化して電子部品を形成し、その小型化を図ることが可能になる。
【０００７】
また、前記半導体装置においては、前記第１の電極と前記外部接続端子との電気的接続が、前記能動面側に設けられた再配置配線によってなされているのが好ましい。
このようにすれば、外部接続端子の位置やその配列を自由（任意）に設計することができる。
【０００８】
また、前記半導体装置においては、前記接続用端子が、前記半導体基板の能動面側に設けられた第２の電極に電気的に接続しているのが好ましい。
このようにすれば、接続用端子を用いて半導体装置の電気的な処理が可能になる。また、接続用端子を用いて他の機能構造体との電気的接続を行うことにより、例えばこの半導体装置を前記機能構造体の駆動用素子として機能させることも可能になる。
【０００９】
また、前記半導体装置においては、前記接続用端子が、電気的な検査や調整を行うための端子であってもよい。
このようにすれば、例えば電気的検査やトリミングなどによる半導体装置の機能の保証や調整を、前記接続用端子を用いて行うことが可能になる。
【００１０】
また、前記半導体装置においては、前記接続用端子が、他の部品との間の電気的接続をなすための端子であってもよい。
このようにすれば、接続用端子を用いて他の機能構造体との電気的接続を行うことにより、この半導体装置を前記機能構造体の駆動用素子として機能させることが可能になる。
【００１１】
また、前記半導体装置においては、前記外部接続端子が前記第１の電極に配線を介して接続され、前記半導体基板と前記外部接続端子との間に、応力緩和層が設けられているのが好ましい。
このようにすれば、配線を介して第１電極と外部接続端子とが電気的に接続されることにより、この半導体装置に再配置配線が形成され、したがって外部接続端子の大きさや形状、配置等の自由度が大となる。また、応力緩和層が設けられているので、外部接続端子を介しての半導体装置と外部機器等との接続信頼性が高められる。
【００１２】
また、前記半導体装置においては、前記接続用端子が、封止樹脂によって封止されてなるのが好ましい。
接続用端子を電気的な検査や調整に用いた後、これを封止樹脂で封止するようにすれば、その後この接続用端子を用いた調整等が不可能となることにより、検査や調整後の半導体装置の信頼性を高めることができる。また、接続用端子を他の部品との間の電気的接続に用いた後、封止樹脂で封止するようにすれば、この接続用端子での不測の短絡を防止することができ、さらにはこの接続用端子での接続強度を高めることもできる。
【００１３】
また、前記半導体装置においては、前記接続用端子が柱状に形成されていてもよい。
このようにすれば、柱状の接続用端子が例えば下層の導電部と上層の導電部とを導通させる上下導通部材として機能することにより、半導体装置全体での再配置配線についての自由度が高まる。
【００１４】
本発明の半導体装置の製造方法は、半導体基板の能動面側に第１の電極を設ける工程と、前記第１の電極に電気的に接続する外部接続端子を前記半導体基板の能動面側に設ける工程と、前記半導体基板の能動面側に接続用端子を設ける工程と、を備えたことを特徴としている。
この半導体装置の製造方法によれば、半導体基板の能動面側に外部接続端子とは別に接続用端子を設けるので、得られた半導体装置は、この接続用端子を用いて例えば他の機能構造体との機械的接続や電気的接続を行うことにより、機能構造体と一体化して電子部品を形成し、その小型化を図り得るものとなる。
【００１５】
また、前記半導体装置の製造方法においては、半導体基板の能動面側に第２の電極を設ける工程を備え、前記接続用端子を、前記第２の電極に電気的に接続した状態に設けるのが好ましい。
このようにすれば、得られた半導体装置は、接続用端子を用いることで電気的な処理が可能になる。また、接続用端子を用いて他の機能構造体との電気的接続を行うことにより、例えばこの半導体装置を前記機能構造体の駆動用素子として機能させることも可能になる。
【００１６】
また、前記半導体装置の製造方法においては、前記半導体装置を同一の基板に複数形成した後、該基板を前記半導体装置毎に切断して個片化するのが好ましい。
このようにすれば、効率良く半導体装置を製造することが可能となり、したがって半導体装置の低コスト化を図ることができる。
【００１７】
また、前記半導体装置の製造方法においては、前記接続用端子を設けた後、該接続用端子を用いて検査や調整、あるいは接続を行い、その後、該接続用端子を封止樹脂によって封止するのが好ましい。
接続用端子を電気的な検査や調整に用いた後、これを封止樹脂で封止すれば、その後この接続用端子を用いた調整等が不可能となることにより、検査や調整後の半導体装置の信頼性を高めることができる。また、接続用端子を他の部品との間の電気的接続に用いた後、封止樹脂で封止すれば、この接続用端子での不測の短絡を防止することができ、さらにはこの接続用端子での接続強度を高めることもできる。
【００１８】
本発明の電子部品は、半導体基板と、前記半導体基板の能動面側に設けられた第１の電極と、前記第１の電極に電気的に接続して前記能動面側に設けられた外部接続端子と、前記半導体基板の能動面側に設けられた接続用端子とを備えた半導体装置と、
前記半導体装置における前記半導体基板の能動面側と反対の側に配設され、前記接続用端子と電気的接続手段によって接続された機能構造体と、を具備してなることを特徴としている。
この電子部品によれば、半導体装置と機能構造体とを、接続用端子を利用して電気的接続手段で接続しているので、半導体装置と機能構造体とが一体化されて電子部品となり、したがって小型化が図られたものとなる。
【００１９】
また、特に前記電気的接続手段については、ワイヤボンディングであるのが好ましい。
このようにすれば、半導体装置と機能構造体との立体接続構造を簡便に得ることができる。
【００２０】
また、前記電子部品においては、前記外部接続端子が、前記ワイヤボンディングのワイヤより高く形成されているのが好ましい。
このようにすれば、外部接続端子を用いてこの電子部品を外部機器等に接続する際、ワイヤによって干渉されることなく良好に接続を行うことが可能になる。
【００２１】
また、前記電子部品においては、前記電気的接続手段が、封止樹脂によって封止されてなるのが好ましい。
このようにすれば、封止樹脂によって電気的接続手段が保護されることで、電子部品としての信頼性が向上するとともに、量産を行ううえで有利な構造となる。
【００２２】
本発明の回路基板は、前記の電子部品が実装されていることを特徴としている。
この回路基板によれば、小型化が図られた電子部品が実装されているので、その分高密度実装が可能となり、したがって高機能化を図ることができる。
【００２３】
本発明の電子機器は、前記の電子部品が実装されていることを特徴としている。
この電子機器によれば、小型化が図られた電子部品が実装されているので、その分高密度実装が可能となり、したがって高機能化を図ることができる。
【発明を実施するための最良の形態】
【００２４】
以下、本発明を詳しく説明する。
［半導体装置］
図１、図２は本発明の半導体装置の一実施形態を示す図であり、これらの図において符号１は、ウエハレベルＣＳＰ（Ｗ−ＣＳＰ）構造の半導体装置である。なお、図１の側断面図は、図２の模式平面図における、Ａ−Ａ線矢視断面図とする。
【００２５】
図１に示すように半導体装置１は、トランジスタやメモリ素子などの半導体素子からなる集積回路（図示せず）を形成してなるシリコン基板（半導体基板）１０と、このシリコン基板１０の能動面１０ａ側、すなわち前記集積回路を形成した側に設けられた第１の電極１１と、該第１の電極１１に電気的に接続して前記能動面１０ａ側に設けられた外部接続端子１２と、前記能動面１０ａ側に設けられた接続用端子１３と、を備えて構成されたものである。
【００２６】
第１の電極１１は、シリコン基板１０の前記集積回路に直接導通して形成されたもので、例えば図２に示すように、矩形状のシリコン基板１０の周辺部に複数が配列して設けられたものである。また、前記能動面１０ａ上には、図１に示すようにパッシベーション膜となる第１絶縁層１４が形成されており、この第１絶縁層１４には、前記第１の電極１１上に開口部１４ａが形成されている。このような構成によって第１の電極１１は、前記開口部１４ａ内にて外側に露出した状態となっている。
【００２７】
第１絶縁層１４上には、前記第１の電極１１や後述する第２の電極を避けた位置、本実施形態ではシリコン基板１０の中央部に、絶縁樹脂からなる応力緩和層１５が形成されている。また、前記第１の電極１１には、前記絶縁層１４の開口部１４ａ内にて配線１６が接続されている。この配線１６は、前記集積回路の電極の再配置を行うためのもので、図２に示すようにシリコン基板１０の周辺部に配置された第１の電極１１から中央部側に延びて形成され、さらに図１に示すように応力緩和層１５上にまで引き回されて形成されたものである。この配線１６は、シリコン基板１０の第１の電極１１と後述する外部接続端子１２との間を配線することから一般的には再配置配線と呼ばれ、微細設計されることの多いシリコン基板１０の電極１１の位置と、客先のボード実装で使用されるラフピッチの外部接続端子１２との物理的な位置をずらして配置するための重要な手段である。
【００２８】
また、シリコン基板１０の能動面１０ａ側には、配線１６や応力緩和層１５、第１絶縁層１４を覆ってソルダーレジストからなる耐熱性の第２絶縁層１７が形成されている。この第２絶縁層１７には、前記応力緩和層１５上にて前記配線１６上に開口部１７ａが形成されている。このような構成によって配線１６は、前記開口部１７ａ内にて外側に露出した状態となっている。
【００２９】
そして、この開口部１７ａ内に露出した配線１６上に、前記の外部接続端子１２が配設されている。この外部接続端子１２は、例えばはんだボールによってバンプ形状に形成されたもので、図１中二点鎖線で示す、外部機器としてのプリント配線板（回路基板）Ｐに電気的に接続されるものである。このような構成のもとに、シリコン基板１０に形成された集積回路（半導体素子）は、第１の電極１１、再配置配線である配線１６、外部接続端子１２を介してプリント配線板Ｐに電気的に接続されるようになっているのである。
【００３０】
また、シリコン基板１０に形成された前記集積回路には、図２に示すように前記第１の電極１１以外に第２の電極１８が形成されている。この第２の電極１８は、例えば前記プリント配線板Ｐとは別の、他の機能構造体を駆動するための出力をなすものであったり、あるいは、前記集積回路の各種の機能検査や機能調整を電気的に行うためのものとなっている。なお、本実施形態では、前記第１の電極１１の場合と同様に、この第２の電極１８に再配置配線１９が接続され、この再配置配線１９に、外部に露出する前記の接続用端子１３が接続されている。
【００３１】
接続用端子１３は、電気的、あるいは機械的な接続をなすためのパッド状のものであって、特に前記第２の電極１８が機能構造体を駆動するための出力をなすものである場合に、本実施形態の半導体装置１が、前記プリント配線板Ｐとは別の、他の機能構造体との接続をなす際に好適に利用されるものである。また、前述したように、前記第２の電極１８が前記集積回路の各種の機能検査や機能調整を電気的に行うためのものとなっている場合には、接続用端子１３は、検査や調整用のプローブなどと電気的に接続されるようになっている。
【００３２】
また、この接続用端子１３は、例えば前記集積回路の各種の機能検査や機能調整がなされた後、図１中二点鎖線で示すように、エポキシ樹脂等の封止樹脂２０によって封止されるようになっている。こうすることで、一時的に機能検査や機能調整に使用された接続用端子はそれ以降、外部環境とは遮断され、そこから半導体素子としての信頼性を低下させるような情況とは隔絶することができる。
【００３３】
また、前記第１の電極１１、第２の電極１８、接続用端子１３は、チタン（Ｔｉ）、窒化チタン（ＴｉＮ）、アルミニウム（Ａｌ）、銅（Ｃｕ）、あるいは、これらを含む合金等によって形成されている。特に接続用端子１３については、例えば前記プローブとの電気的接触性を高め、あるいはワイヤボンディングの際の接合性を高めるため、その表面にニッケル（Ｎｉ）、金（Ａｕ）のメッキを施しておくのが好ましい。このようにすることで、特にさびによる接触性、接合性の低下を防止することができる。また、ハンダメッキ、ハンダプリコートなどの最表面処理を施したものとしてもよい。
【００３４】
さらに、配線１６、再配置配線１９は、金（Ａｕ）、銅（Ｃｕ）、銀（Ａｇ）、チタン（Ｔｉ）、タングステン（Ｗ）、チタンタングステン（ＴｉＷ）、窒化チタン（ＴｉＮ）、ニッケル（Ｎｉ）、ニッケルバナジウム（ＮｉＶ）、クロム（Ｃｒ）、アルミニウム（Ａｌ）、パラジウム（Ｐｄ）等によって形成されている。なお、これら配線１６、再配置配線１９としては、前記材料による単層構造としてもよく、複数種を組み合わせた積層構造としてもよい。また、これら配線１６及び再配置配線１９については、通常は同一工程で形成するため、互いに同じ材料となる。
【００３５】
また、第１絶縁層１４や第２絶縁層１７を形成するための樹脂としては、例えばポリイミド樹脂、シリコーン変性ポリイミド樹脂、エポキシ樹脂、シリコーン変性エポキシ樹脂、アクリル樹脂、フェノール樹脂、ＢＣＢ（benzocyclobutene）及びＰＢＯ（polybenzoxazole）等が用いられる。
なお、第１絶縁層１７については、酸化珪素（ＳｉＯ２）、窒化珪素（Ｓｉ３Ｎ４）等の無機絶縁材料によって形成することもできる。
【００３６】
［半導体装置の製造方法］
次に、前記構成の半導体装置１の製造方法について図３を参照して説明する。なお、本実施形態においては、図４に示すように同一のシリコンウエハ（基板）１００上に半導体装置１を複数一括して形成しておき、その後ダイシング（切断）して個片化することにより、半導体装置１を得るようにしているが、図３では説明を簡単にするため、単純化して１つの半導体装置１の形成のみを示している。
【００３７】
まず、図３（ａ）に示すように、シリコン基板１０の能動面１０ａ上の、前記集積回路の導電部となる位置に、第１の電極１１、第２の電極１８（図３（ａ）に示さず、図２参照）を形成する。
次に、第１の電極１１及び第２の電極１８を覆ってシリコン基板１０上に第１絶縁層１４を形成し、さらに、この第１絶縁層１４を覆って樹脂層（図示せず）を形成する。
【００３８】
次いで、周知のフォトリソグラフィ法及びエッチング法によって前記樹脂層をパターニングし、所定の形状、すなわち前記第１の電極１１や第２の電極１８の直上位置を除いたシリコン基板１０の中央部に、応力緩和層１５を形成する。
さらに、周知のフォトリソグラフィ法及びエッチング法によって第１の電極１１及び第２の電極１８を覆う位置の絶縁材料を除去し、開口部１４ａを形成する。これにより、これら開口部１４ａ内に第１の電極１１及び第２の電極１８を露出させる。
【００３９】
次いで、図３（ｂ）に示すように第１の電極１１に接続する配線１６を形成するとともに、第２の電極１８に接続する再配置配線１９を形成する。これら配線１６、再配置配線１９の形成については、前記開口部１４ａ内にて第１の電極１１、第２の電極１８に導通するようにして導電材料、例えばＴｉＷ、Ｃｕをこの順にスパッタ法で成膜し、配線形状にパターニングした後、得られたパターン上にＣｕをメッキ法で積層することなどによって行う。
【００４０】
また、特に再配置配線１９の先端側、すなわち図２に示したように第２の電極１８と反対の側は、パッド形状にパターニングしておくことにより、これを接続用端子部とする。そして、特にこの接続用端子部については、その表面にニッケル（Ｎｉ）、金（Ａｕ）のメッキを施すことにより、電気的接触性を高め、あるいはワイヤボンディングの際の接合性を高めておき、これによって本発明の接続用端子１３とする。なお、ハンダメッキ、ハンダプリコートなどの最表面処理を施したものとしてもよい。
【００４１】
次いで、前記配線１６、再配置配線１９、及び接続用端子１３を覆って第２絶縁層１７を形成し、さらに、周知のフォトリソグラフィ法及びエッチング法によって配線１６の一部、すなわち第１の電極１１と反対の側を覆う絶縁材料を除去し、開口部１７ａを形成する。これにより、該開口部１７ａ内に配線１６を露出させる。また、これと同時に、接続用端子１３を覆う絶縁材料も除去し、開口部１７ｂを形成することにより、該開口部１７ｂ内に接続用端子１３を露出させる。
【００４２】
その後、図３（ｃ）に示すように、開口部１７ａ内に露出する配線１６上に例えば鉛フリーはんだからなるはんだボールを配設し、外部接続端子１２を形成する。なお、この外部接続端子１２については、はんだボールを配設して形成するのに代えて、はんだペーストを配線１６上に印刷することで形成するようにしてもよい。
そして、図４に示すように、ダイシング装置１１０によってシリコンウエハ（基板）１００を半導体装置１毎にダイシング（切断）し、個片化することにより、半導体装置１を得る。
【００４３】
ここで、このようにして得られた半導体装置１については、特に前記接続用端子１３が検査や調整用となっている場合、すなわち、前記第２の電極１８が前記集積回路の各種の機能検査や機能調整を電気的に行うためのものとなっている場合、この接続用端子１３を利用して前記集積回路の機能検査や機能調整を行う。具体的には、ＩＣプローブ検査や、このプローブ検査と同時に行われるトリミング（ヒューズカット）などを行うことにより、集積回路の機能を保証し、またはその機能を調整する。
【００４４】
なお、前記接続用端子１３が、集積回路の機能検査や機能調整のみに用いられる場合には、これら機能検査や機能調整を終了した後、前述したようにこれら接続用端子１３を封止樹脂２０によって封止する。
このように、特に本発明の接続用端子１３を、集積回路の機能検査や機能調整用として構成すれば、半導体装置１の品質安定性を確保し、信頼性を高めることができる。
【００４５】
すなわち、外部接続端子１２はユーザー実装用として用いられるため、一般的にその端子ピッチを大きくする必要がある。したがって、設計的な制約により、集積回路（ＩＣ）の電極から全端子を外部接続端子として引き出せなくなることがある。しかし、本実施形態では、外部接続端子１２とは別に、ユーザー実装用として用いない接続用端子１３を設け、これを利用して集積回路の機能検査や機能調整を行っているので、外部接続端子１２に関する設計的な制約を少なくし、設計自由度を高めることができる。
【００４６】
つまり、本発明において前記接続用端子１３は、外部接続端子１２の位置に干渉せず、したがって設計自由度を損なわない位置であれば、前記したように第２の電極１８から再配置配線１９によって任意の位置にまで引き回して配置してもよく、さらには、この再配置配線１９上の任意の位置に配置してもよく、もちろん、再配置配線１９を用いることなく第２の電極１８上に直接配設してもよいのである。また、接続用端子１３の形態についても、前述したように再配置配線１９の一部を直接接続用端子１３に形成してもよく、再配置配線１９や第２の電極１８とは別に、パッドなどによって接続用端子１３を形成してもよい。
【００４７】
また、調整用の端子やデータ書き込み用の端子など、機能によってはユーザーに開放してはいけない場合もあるが、本実施形態の接続用端子１３では、特に機能検査や機能調整を終了した後、封止樹脂２０で封止することにより、その後この接続用端子１３を用いた調整等が行えないようにすることができる。したがって、検査や調整が終了したときの状態をそのまま保持することができ、これにより前述したように半導体装置１の品質安定性を確保し、信頼性を高めることができる。
【００４８】
また、前述のようにして得られた接続用端子１３は、その全てが集積回路の機能検査や機能調整用として用いられてもよいが、一部のみが集積回路の機能検査や機能調整用として用いられ、残りは、前記プリント配線板Ｐとは別の、他の機能構造体との接続をなす際に利用されるものであってもよい。さらには、全ての接続用端子１３が、他の機能構造体との接続をなす際に利用されるようにしてもよい。
【００４９】
［電子部品］
すなわち、前記半導体装置１と機能構造体とを一体化することにより、本発明の電子部品を構成することができる。以下、前記半導体装置１を用いてなる本発明の電子部品について説明する。
図５は、本発明の電子部品の一実施形態を示す図であり、図５中符号３０は電子部品である。この電子部品３０は、前記の半導体装置１と機能構造体３１とを具備して構成されたものである。
【００５０】
機能構造体３１としては、特に限定されることなく各種のものが用いられる。具体的には、水晶発振器や圧電振動子、圧電音叉、弾性表面波素子（ＳＡＷ（Surface Acoustic Wave）素子）、ＭＥＭＳ構造体、半導体装置１とは別の半導体装置、その他各種電子部品構造体などが用いられる。そして、半導体装置１は、特にこのような機能構造体３１を駆動するための駆動装置として用いられる。
【００５１】
すなわち、前記半導体装置１における第２の電極１８は、本実施形態では機能構造体３１を駆動するための出力をなすものとなっており、したがってこれに接続する接続用端子１３は、機能構造体３１側の接続端子（図示せず）と電気的に接続されるようになっている。
【００５２】
本発明の電子部品３０では、機能構造体３１の上面に半導体装置１が搭載され、接着剤等によって固定されている。半導体装置１は、その能動面１０ａ側が外側に向くようにして搭載され、これによって機能構造体３１は、半導体装置１における能動面１０ａと反対の側の面に接合されたものとなっている。このような構成のもとに機能構造体３１と半導体装置１とは、それぞれの上面側にて、接続用端子１３と機能構造体３１側の接続端子とが、電気的接続手段によって接続されている。電気的接続手段としては、金ワイヤ３２によるワイヤボンディングが、簡便であり好ましい。ただし、これに限ることなく、例えばワイヤのハンダ付け、ビームリード、ＴＡＢなど、他の公知の実装技術を採用することもできる。
【００５３】
このような金ワイヤ３２によるワイヤボンディングは、半導体装置１の能動面１０ａ側にてなされることから、図５に示したように半導体装置１における外部接続端子１２と同じ面に形成されることになる。
電子部品３０は、プリント配線板Ｐに実装される際、これら外部接続端子１２を用いて実装がなされることから、金ワイヤ３２はプリント配線板Ｐ側に向くことになる。そこで、本実施形態では、特に実装時において金ワイヤ３２がプリント配線板Ｐに当接しないよう、この金ワイヤ３２のワイヤボンディング高さ、すなわちこの金ワイヤ３２の頂点高さを、外部接続端子１２の高さより十分に低くしている。
【００５４】
このようにすることで、外部接続端子１２を用いて電子部品３０をプリント配線板Ｐ（外部機器）に接続する際、金ワイヤ３２によって干渉されることなく、したがって外部接続端子１２と金ワイヤ３２との短絡等を招くことなく、良好に接続を行うことができる。
なお、半導体装置１の接続用端子１３と機能構造体３１側の接続端子とをワイヤボンディングした後には、図５中二点鎖線で示すように、接続用端子１３を封止樹脂３３で封止するのが好ましい。このようにすれば、接続用端子１３に対する金ワイヤ３２の接続強度を高めることができる。さらに、接続用端子１３、金ワイヤ３２が樹脂で被覆されるので、特に後の工程による接続部構造へのダメージも低減でき、接続信頼性をも著しく向上させることができる。
【００５５】
また、このような電子部品３０を製造するにあたっては、前記の半導体装置１の製造方法において、特にシリコンウエハ（基板）１００を半導体装置１毎にダイシング（切断）し、個片化する前に、各半導体装置１に対してはんだボールによる外部接続端子１２を形成することなく、半導体装置１を個片化し、機能構造体３１との間でワイヤボンディングを行った後、外部接続端子１２を形成するようにしてもよい。
【００５６】
以上説明したように本実施形態の半導体装置１にあっては、外部接続端子１２とは別に接続用端子１３が設けられているので、この接続用端子１３を用いて機能構造体３１との機械的接続や電気的接続を行うことにより、この半導体装置１と機能構造体３１とを一体化して電子部品３０を形成し、その小型化を図ることができる。
また、シリコン基板１０と外部接続端子１２との間に応力緩和層１５を設けているので、例えば外部接続端子１２を介して半導体装置１とプリント配線板Ｐなどの外部機器とを接続した際、接続時に圧力や熱に起因する応力が外部接続端子１２に生じても、応力緩和層１５でこれを緩和し吸収することにより、断線などの不都合が生じるのを防止することができる。したがって、外部接続端子１２と外部機器との接続信頼性を高めることができる。
【００５７】
本実施形態の電子部品３０にあっては、半導体装置１と機能構造体３１とを、接続用端子１３を利用してワイヤボンディングで接続しているので、半導体装置１と機能構造体３１とを既存の技術だけで容易に一体化し、３次元構造の電子部品を構成するので、集合体として十分な小型化を図り、しかもその低価格化を実現することができる。
【００５８】
なお、本発明は前記実施形態に限定されることなく、本発明の要旨を逸脱しない限り種々の変更が可能である。例えば、図５に示した実施形態では、接続用端子１３を電気的接続としてのワイヤボンディングに利用したが、これ以外にも、接続用端子１３を単に機械的接続のために用いてもよい。すなわち、接続用端子１３を、そのシリコン基板１０に形成した集積回路とは関係なく、電気的に独立したランドとして金属などで形成しておき、機能構造体３１との間で機械的な接続のみを目的としたワイヤボンディングに用いてもよい。具体的には、機能構造体３１に対して半導体装置１を宙づり構造にしたい場合や、接着剤の使用が困難な場合、さらには接着剤だけでは十分な接合強度が得られない場合などに、接続用端子１３を利用したワイヤボンディングによる機械的接続を採用することができる。
【００５９】
また、接続用端子１３の構造についても、図１に示したようなパッド状のものに代えて、図６に示すように、柱状（ポスト状）のものとすることができる。図６に示す半導体装置４０において接続用端子４１は、例えば銅によって柱状（ポスト状）に形成されており、その接続面となる上面には、表面酸化防止、ボンディング性の向上のため、Ｎｉ−Ａｕメッキが施されている。
なお、この半導体装置４０では、外部接続端子１２と配線１６との間にも、前記接続用端子４１と同一工程で形成されたポスト４２が形成されている。これによって外部接続端子１２は、第２絶縁層１７の上面側にて、ポスト４２を介して配線１６と電気的に接続したものとなっている。
【００６０】
このような構造にすれば、柱状の接続用端子４１が例えば下層の導電部となる第２の電極１８や再配置配線１９と、上層（第２絶縁層１７の上）に必要に応じて形成する導電部（図示せず）とを導通させる上下導通部材として機能するようになり、したがって、半導体装置４０全体での再配置配線についての自由度をより一層高めることができる。
【００６１】
［回路基板及び電子機器］
本発明の回路基板は、前記の電子部品３０が、例えば図１中二点鎖線で示したプリント配線板Ｐに実装されることで形成される。すなわち、電子部品３０における半導体装置１（４０）の外部接続端子１２が、プリント配線板Ｐの導電部に電気的に接続されることにより、本発明の一実施形態となる回路基板が形成されるのである。
この回路基板によれば、小型化が図られた電子部品３０が実装されているので、その分高密度実装が可能となり、したがって高機能化を図ることができる。
【００６２】
また、本発明の電子機器も、前記の電子部品が実装されることで形成される。具体的には、前記電子部品３０を搭載した電子機器の一例として、図７に示すような携帯電話３００を挙げることができる。
この電子機器にあっても、小型化が図られた電子部品が実装されているので、その分高密度実装が可能となり、したがって高機能化を図ることができる。
【００６３】
また、本発明が適用される電子機器としては、携帯電話以外にも、例えばＩＣカード、ビデオカメラ、パーソナルコンピュータ、ヘッドマウントディスプレイ、プロジェクタ、ファックス装置、デジタルカメラ、携帯型ＴＶ、ＤＳＰ装置、ＰＤＡ、電子手帳等を挙げることができる。
【図面の簡単な説明】
【００６４】
【図１】本発明の半導体装置の一実施形態を示す側断面図である。
【図２】図１の半導体装置を模式的に示す平面図である。
【図３】（ａ）〜（ｃ）は図１の半導体装置の製造方法を説明するための図である。
【図４】図１の半導体装置の製造方法を説明するための図である。
【図５】本発明の電子部品の一実施形態を示す斜視図である。
【図６】本発明の半導体装置の他の実施形態を示す側断面図である。
【図７】本発明の電子部品が搭載された電子機器の一例を示す図である。
【符号の説明】
【００６５】
１、４０…半導体装置、１０…シリコン基板（半導体基板）、１０ａ…能動面、１１…第１の電極、１２…外部接続端子、１３…接続用端子、１５…応力緩和層、１６…配線、１８…第２の電極、２０…封止樹脂、３０…電子部品、３１…機能構造体、３２…金ワイヤ、３３…封止樹脂、４１…接続用端子、１００…シリコンウエハ（基板）、３００…携帯電話（電子機器）、Ｐ…プリント配線板
【図１】
2007048931.tif 000003
【図２】
2007048931.tif 000004
【図３】
2007048931.tif 000005
【図４】
2007048931.tif 000006
【図５】
2007048931.tif 000007
【図６】
2007048931.tif 000008
【図７】
2007048931.tif 000009